(57)【要約】      （修正有）【課題】利用可能とするユーザを容易に変更できると共に、機密情報に関するセキュリティが確保される画像処理装置を提供する。【解決手段】画像処理装置は、原稿毎に割り当てられる識別情報とユーザ情報とを関連付けた登録情報と、当装置にログイン中のユーザ情報とを保持する画像処理装置であって、原稿の画像データから該原稿に割り当てられた前記識別情報を抽出する識別情報抽出手段と、前記登録情報において前記識別情報抽出手段により抽出された前記識別情報と関連付けて保持される前記ユーザ情報の中に、前記ログイン中のユーザ情報が含まれるか否か判定する判定手段と、前記判定手段により前記ログイン中のユーザ情報が含まれると判定された場合、前記識別情報抽出手段により抽出された前記識別情報に基づいて、前記原稿の画像データに対し所定の画像処理を施す画像処理手段と、を有する。【選択図】図１
2011087250.tif 000002
【特許請求の範囲】
【請求項１】
原稿毎に割り当てられる識別情報とユーザ情報とを関連付けた登録情報と、当装置にログイン中のユーザ情報とを保持する画像処理装置であって、
原稿の画像データから該原稿に割り当てられた前記識別情報を抽出する識別情報抽出手段と、
前記登録情報において前記識別情報抽出手段により抽出された前記識別情報と関連付けて保持される前記ユーザ情報の中に、前記ログイン中のユーザ情報が含まれるか否か判定する判定手段と、
前記判定手段により前記ログイン中のユーザ情報が含まれると判定された場合、前記識別情報抽出手段により抽出された前記識別情報に基づいて、前記原稿の画像データに対し所定の画像処理を施す画像処理手段と、を有することを特徴とする画像処理装置。
【請求項２】
前記登録情報は、前記識別情報に対応する前記所定の画像処理を規定する設定情報を含み、
前記画像処理手段は、前記識別情報抽出手段により抽出された前記識別情報と対応する前記設定情報で規定される画像処理を施すことを特徴とする請求項１に記載の画像処理装置。
【請求項３】
前記識別情報抽出手段は、前記原稿に割り当てられた識別情報から前記所定の画像処理を規定する設定情報を抽出し、
前記画像処理手段は、前記識別情報抽出手段により抽出された前記設定情報で規定される画像処理を施すことを特徴とする請求項１に記載の画像処理装置。
【請求項４】
前記登録情報は、当該画像処理装置に該登録情報を登録したユーザ情報を含み、
前記登録情報を登録したユーザ情報と前記ログイン中のユーザ情報とが一致する場合、前記登録情報の変更が可能であることを特徴とする請求項１乃至３の何れか一に記載の画像処理装置。
【請求項５】
前記登録情報の変更は、前記原稿毎に割り当てられる識別情報の消去であることを特徴とする請求項４に記載の画像処理装置。
【請求項６】
前記識別情報抽出手段は、前記原稿の画像データに含まれるＱＲコードを読み取ると共に、該ＱＲコードを前記原稿に割り当てられた識別情報へ変換することを特徴とする請求項１乃至５の何れか一に記載の画像処理装置。
【請求項７】
原稿毎に割り当てられる識別情報とユーザ情報とを関連付けた登録情報と、当装置にログイン中のユーザ情報とを保持する画像処理装置における画像処理方法であって、
識別情報抽出手段が、原稿の画像データから該原稿に割り当てられた前記識別情報を抽出するステップと、
判定手段が、前記登録情報において前記識別情報抽出手段により抽出された前記識別情報と関連付けて保持される前記ユーザ情報の中に、前記ログイン中のユーザ情報が含まれるか否か判定するステップと、
画像処理手段が、前記判定手段により前記ログイン中のユーザ情報が含まれると判定された場合、前記識別情報抽出手段により抽出された前記識別情報に基づいて、前記原稿の画像データに対し所定の画像処理を施すステップと、を含む画像処理方法。
【請求項８】
原稿毎に割り当てられる識別情報とユーザ情報とを関連付けた登録情報と、当装置にログイン中のユーザ情報とを保持する画像処理装置における画像処理プログラムであって、
コンピュータに、
識別情報抽出手段が、原稿の画像データから該原稿に割り当てられた前記識別情報を抽出するステップと、
判定手段が、前記登録情報において前記識別情報抽出手段により抽出された前記識別情報と関連付けて保持される前記ユーザ情報の中に、前記ログイン中のユーザ情報が含まれるか否か判定するステップと、
画像処理手段が、前記判定手段により前記ログイン中のユーザ情報が含まれると判定された場合、前記識別情報抽出手段により抽出された前記識別情報に基づいて、前記原稿の画像データに対し所定の画像処理を施すステップと、を実行させるための画像処理プログラム。
【発明の詳細な説明】
【技術分野】
【０００１】
本発明は、画像処理装置の技術に関する。
【背景技術】
【０００２】
今日、デジタル複合機は多機能化によって、プリンタ、スキャナ及びファクシミリなどの複数機能を有する複合型のものが多く普及している。そして、デジタル複合機が備える機能を有効に使用するために、利用者が設定する必要がある画像形成条件等の設定項目が増大している。
【０００３】
しかし、上記設定項目の入力手段である表示装置の大きさやハードキーの個数には限りがあり、表示装置を用いた設定メニューの表示画面を切り替えながら設定するため、設定メニューの層が深くなり利用者にとって使い勝手が悪い。
【０００４】
上記の問題を解決するため、画像形成条件をバーコード等の光学的に読取可能な状態で記録した上で、それをスキャナで読み取り認識し、画像形成条件を自動的に設定する技術が開示されている（特許文献１など）。
【０００５】
また、近年においてデジタル複合機は、ネットワーク上の一端末として位置付けられ、手書き文書や紙資料を電子化し、ネットワーク上で共有・活用することが可能となっている。例えば、デジタル複合機の入力画像を当該デジタル複合機から所定のパーソナルコンピュータに配信することが行われる。
【０００６】
さらに、ネットワーク上の一端末としての使用に伴い、近年のデジタル複合機におけるセキュリティの確保が重要な要素の１つとなっており、利用者毎にデジタル複合機の使用の可否を設定するなど、当該機器の機能に制限を加えたいという要望もある。
【０００７】
上記の問題を解決するため、原稿上に埋め込まれたＱＲコード（登録商標。以下では「ＱＲコード」に係る登録商標の表記を省略する。）内にユーザ名・パスワードを挿入し、デジタル複合機にログインしているユーザのパスワードと一致を確認する。そして、当該確認結果に基づき使用の可否を判断することで、デジタル複合機のセキュリティを確保する技術が公開されている（特許文献２等）。
【発明の概要】
【発明が解決しようとする課題】
【０００８】
しかし、上記技術では、ＱＲコード内にユーザ名及びパスワードが挿入されているため、一度設定したユーザ名及びパスワードの変更が出来ないという問題点があった。また、ＱＲコード内にパスワードが含まれているためパスワード流出の危険があり、セキュリティ上の問題点もあった。
【０００９】
そこで、本発明では、ユーザ毎に利用が制限される画像処理装置において、当該装置を利用可能とするユーザを容易に変更できると共に、機密情報に関するセキュリティが確保される画像処理装置、画像処理方法及び画像処理プログラムを提供することを目的とする。
【課題を解決するための手段】
【００１０】
開示の画像処理装置の一形態は、原稿毎に割り当てられる識別情報とユーザ情報とを関連付けた登録情報と、当装置にログイン中のユーザ情報とを保持する画像処理装置であって、原稿の画像データから該原稿に割り当てられた前記識別情報を抽出する識別情報抽出手段と、前記登録情報において前記識別情報抽出手段により抽出された前記識別情報と関連付けて保持される前記ユーザ情報の中に、前記ログイン中のユーザ情報が含まれるか否か判定する判定手段と、前記判定手段により前記ログイン中のユーザ情報が含まれると判定された場合、前記識別情報抽出手段により抽出された前記識別情報に基づいて、前記原稿の画像データに対し所定の画像処理を施す画像処理手段と、を有することを特徴とする。
【発明の効果】
【００１１】
開示の画像処理装置は、ユーザ毎に利用が制限される画像処理装置において、当該装置を利用可能とするユーザが容易に変更できると共に、機密情報に関するセキュリティを確保することができる。
【図面の簡単な説明】
【００１２】
【図１】本実施の形態に係る画像処理装置の機能ブロック図である。
【図２】本実施の形態に係るＱＲカバーシートと登録情報との関係を説明する図である。
【図３】本実施の形態に係る画像処理装置による第１の処理例を説明するフローチャートである。
【図４】ログイン画面のディスプレイ表示例である。
【図５】初期画面のディスプレイ表示例である。
【図６】本実施の形態に係る画像処理装置による第２の処理例を説明するフローチャート（その１）である。
【図７】ＱＲカバーシートの読取開始を表すディスプレイ表示例である。
【図８】本実施の形態に係る画像処理装置による第２の処理例を説明するフローチャート（その２）である。
【図９】個人設定・個人情報設定画面のディスプレイ表示例である。
【図１０】個人設定・登録情報設定画面のディスプレイ表示例である。
【図１１】個人設定・ＱＲカバーシートアクセス権変更画面のディスプレイ表示例である。
【図１２】個人設定・ＱＲカバーシート消去画面のディスプレイ表示例である。
【図１３】ＱＲカバーシート消去の確認を行うディスプレイ表示例である。
【図１４】本実施の形態に係る画像処理装置のハードウェア構成の一例を示す図である。
【発明を実施するための形態】
【００１３】
図面を参照しながら、本発明を実施するための最良の形態について説明する。
（本実施の形態に係る画像処理装置の動作原理）
図１を用いて、本実施の形態に係る画像処理装置１００の動作原理について説明する。図１は画像処理装置１００の機能ブロック図である。
【００１４】
画像処理装置１００は、ＵＩ制御部１０１、認証処理部１０２、個人メニュー制御部１０３、ジョブ実行処理部１０４、蓄積制御部１０５、読み取り制御部１０６、印刷制御部１０７、送信制御部１０８、ＱＲコード認証制御部１０９、登録情報管理部１１０、ＱＲコード作成部１１１、登録情報１１２を備える。
【００１５】
ここで、以下の説明においてＱＲコードとは、マトリックス型二次元コードであって、白と黒の格子状のパターンで情報を表すものである。
【００１６】
画像処理装置１００は、当該装置１００が原稿に対し行うべき処理内容を規定する、ＱＲカバーシートと呼ばれる原稿を読み込むことにより、原稿に対し所定の画像処理を実施する。図２で示すＱＲカバーシートの一例では、シート上部に「カバーシート名」が記載され、シート中央部に当該カバーシートによって規定される「画像処理の諸条件」が記載されている。図２における「画像処理の諸条件」の一例では、原稿画像の「１．読取条件」、読み取った原稿画像データの「２．蓄積条件」、画像処理を施した画像データの「３．送信条件」、画像処理を施した画像データの「４．印刷条件」が記載されている。ここで、「カバーシート名」、「画像処理の諸条件」は、ユーザによる利便性向上のため確認的に記載されるものであり、必ずしもＱＲカバーシート上に記載される必要はない。
【００１７】
そして、図２で示すようにＱＲカバーシートにはＱＲコードが記載されており、このＱＲコードは個々のＱＲカバーシートに割り当てられた「ＱＲカバーシートＩＤ」をＱＲコードに変換したものを含む。
【００１８】
一方、画像処理装置１００は、登録情報１１２のＤＢ（データベース）を備える。図２で示す登録情報１１２の一例が示すように、登録情報１１２は「個人情報」、「登録情報」で構成される。「個人情報」は、登録情報１１２に蓄積される個々のレコードを登録したオーナーユーザに関する「ユーザＩＤ」、「ユーザ名」、「パスワード」、「名称」などの情報である。「登録情報」は「ファイル宛先」、「メール宛先」、「ＦＡＸ宛先」、「グループ宛先」、「共有メディアアドレス」、「受信メールアドレス」などの諸情報を含む。さらに、「登録情報」は上記ＱＲカバーシートに関する情報である「ＱＲカバーシート」の項目を含む。
【００１９】
「ＱＲカバーシート」の項目には、個々のＱＲカバーシートのＩＤ、名称、作成日時等を記録した「作成情報」、各ＱＲカバーシートにより規定される画像処理の実行を許可するユーザを規定する「アクセス権」、各ＱＲカバーシートにより規定される画像処理の内容である「処理内容」を含む。当該「アクセス権」は、ユーザリストを保持する形態であっても良く、複数のユーザをまとめたグループのリストを保持する形態でも良い。他方、「処理内容」は、先に説明したＱＲカバーシート上に記載される「画像処理の諸条件」に対応し、原稿画像の「読取条件」、読み取った原稿画像データの「蓄積条件」、画像処理を施した画像データの「送信条件」、画像処理を施した画像データの「印刷条件」を規定している。
【００２０】
ＱＲカバーシート上のＱＲコードが示すＱＲカバーシートＩＤと、登録情報１１２における「ＱＲカバーシート」中のＱＲカバーシートＩＤとは対応している。そして、登録情報１１２の中から、ＱＲカバーシートから読み取られたＱＲカバーシートＩＤに対応する「処理内容」を抽出する。こうすることによって、画像処理装置１００は、ＱＲカバーシート読み取り後、個々のＱＲカバーシートが規定する画像処理の内容を知ることができ、当該画像処理の内容に従い、蓄積・送信・印刷等の処理を実行する。
【００２１】
次に、画像処理装置１００が備える各部の機能について説明する。ＵＩ制御部１０１は、ユーザが入力したユーザＩＤ及びパスワードを受け付ける。そして、認証処理部１０２は、受け付けたユーザＩＤ及びパスワードについて、情報管理部１１０より登録情報を入手し有効なＩＤコード及びパスワードであるか否かを判定する。個人メニュー制御部１０３は、装置１００にログイン中の個人ユーザによるタッチパネル操作、キー入力などを受け付けて操作画面の表示制御を行う。
【００２２】
ジョブ実行処理部１０４は、個人メニュー制御部１０３から渡された設定条件に従いジョブの実行を行う。当該ジョブは蓄積制御部１０５、読取制御部１０６、印刷制御部１０７、送信制御部１０８を利用して行われる。蓄積制御部１０５は、読取制御部１０６にて読み取った画像データやメディアから読み取った文書データなどを蓄積文書として格納する処理を行う。読取制御部１０６は、スキャナ制御のジョブを実行して原稿の読み取りを実施する。印刷制御部１０７は、印刷ジョブを実行して印刷を実行する。送信制御部１０８は指定された宛先へとファイルを送信するジョブを実施する。
【００２３】
ＱＲコード認証処理部１０９は、読取制御部１０６にて読み取られた画像データからＱＲコードの内容（ＱＲカバーシートＩＤ）を読み出す。次に、ＱＲコード認証処理部１０９は登録情報管理部１１０を介して、登録情報１１２の中から当該ＱＲカバーシートＩＤに対応するアクセス権（認証情報）と処理内容（実行情報）を入手する。そして、ＱＲコード認証処理部１０９は、入手したアクセス権の内容と現在ログイン中のユーザとを照合し、現在ログイン中のユーザがアクセス権を有するか否かを確認する。アクセス権があると確認された場合、ＱＲコード認証処理部１０９は入手した処理内容をジョブ実行処理部１０４に渡す。
【００２４】
ここで、ＱＲコード認証処理部１０９は、読取制御部１０６にて読み取られた画像データから、ＱＲコードの内容（ＱＲコードＩＤ）を読み出すと共に、原稿の画像データに対し施す画像処理の内容を読み出す形態であっても良い。その際、原稿に挿入されたＱＲコードには、ＱＲカバーシートＩＤに加え、原稿画像の「読取条件」、読み取った原稿画像データの「蓄積条件」、画像処理を施した画像データの「送信条件」、画像処理を施した画像データの「印刷条件」などを規定する情報が含まれる。そして、ＱＲコード認証処理部１０９は、入手したアクセス権の内容と現在ログイン中のユーザとを照合し、現在ログイン中のユーザにアクセス権があると確認された場合、ＱＲコード認証処理部１０９はＱＲコードから入手した処理内容をジョブ実行処理部１０４に渡す。
【００２５】
ＱＲコード作成部１１１は、個人メニュー制御部１０３から、ユーザにより設定された処理内容及びアクセス権などを受け取り、登録情報管理部１１０に当該情報を渡す。情報管理部１１０は、ＱＲコード作成部１１１から受け取った情報を登録情報１１２として格納する。
【００２６】
なお、特許請求の範囲における「識別情報抽出手段」は読取制御部１０６及びＱＲコード認証部１０９と対応し、「判定手段」はＱＲコード認証部１０９と対応し、「画像処理手段」はジョブ実行処理部１０４と対応している。
【００２７】
上記のように、画像処理装置１００は、ＱＲカバーシートＩＤを公開（アクセス権を設定）することにより、セキュリティを確保しつつ他のユーザでも使用可能となる。また、ＱＲカバーシートを紛失した際の当該カバーシートの使用制限は、登録情報１１２から紛失したシートに対応するＱＲカバーシートＩＤを削除することにより実現可能である。
【００２８】
（本実施の形態に係る画像処理装置による第１の処理例）
図３を用いて、画像処理装置１００による第１の処理例について説明する。ここでは、ＱＲカバーシートが規定する画像処理の内容を登録情報１１２として蓄積する処理について説明する。
【００２９】
画像処理装置１００の起動後、Ｓ１０でＵＩ制御部１０１は、図４で示すログイン画面を表示する。Ｓ２０で認証制御部１０２は、ログイン画面において画像処理装置１００にログインしようとするユーザのユーザＩＤ及びパスワードを受け付ける。認証が出来ない場合（Ｓ３０でＮｏ）、認証制御部１０２は、エラー表示を行い再度ユーザＩＤ及びパスワードの入力を促す。
【００３０】
ログインが正常に行われると（Ｓ３０でＹｅｓ）、Ｓ４０乃至Ｓ８０で個人メニュー制御部１０３は、図５で示すユーザのメニュー画面を表示し、ＱＲカバーシートを使用して実施する画像処理の読取条件・蓄積条件・送信条件・印刷条件などを受け付ける。図５で示す操作画面を用いて、ユーザはＱＲカバーシートに対応付ける画像処理の内容を入力し、ＱＲカバーシート作成処理を実行する。Ｓ９０でＱＲコード作成部１１１は、作成したＱＲカバーシートＩＤ、実行する画像処理の条件及びユーザのアクセス権を登録情報管理部１１０に渡して登録情報１１２に登録する。Ｓ１００でジョブ実行処理部１０４は、作成したＱＲカバーシートの印刷を実行してＳ４０の状態へ戻る。
【００３１】
（本実施の形態に係る画像処理装置による第２の処理例）
図６を用いて、画像処理装置１００による第２の処理例について説明する。ここでは、画像処理装置１００がＱＲカバーシートを読み取って、当該シートに対応する画像処理を実施する例について説明する。
【００３２】
画像処理装置１００の起動後、Ｓ１１０でＵＩ制御部１０１は、図４で示すログイン画面を表示する。Ｓ１２０で認証制御部１０２は、ログイン画面にて当該装置１００にログインするユーザのユーザＩＤ及びパスワードを受け付ける。認証ができない場合（Ｓ１３０でＮｏ）、認証制御部１０２はエラー表示を行い再度ユーザＩＤ及びパスワードの入力を促す。ログインが正常に行われると（Ｓ１３０でＹｅｓ）、Ｓ１４０で個人メニュー制御部１０３は、図４で示すユーザのメニュー画面を表示する。
【００３３】
ユーザはＱＲカバーシートを原稿の一番上に配置し、２枚目以降に処理を施す原稿を重ねてＡＤＦ（Auto Document Feeder）にセットする。画像処理装置１００においてＱＲコードの読み取りを実施するモードが指定されていた場合（Ｓ１７０でＹｅｓ）、Ｓ１８０で読取制御部１０６は、図７で示すＱＲカバーシート読み取りのポップアップ画面を表示する。装置１００のログイン時にＡＤＦに原稿がセットされていた場合、読取制御部１０６は、図５で示すメニュー画面の上に図７のポップアップ画面を表示する。一方、ＱＲコード読み取りを実施しないモードが指定されていた場合（Ｓ１７０でＮｏ）、読取制御部１０６はポップアップ画面を表示せず、ＱＲコードを指定した読み取りを実施しない。その後、スタートキーのＬＥＤ（Light Emitting Diode）が緑になると、スタートキーを押下して読み取りを開始する。
【００３４】
ＱＲカバーシートを読み取る処理を行うモードの場合（Ｓ１７０でＹｅｓ）、Ｓ１８０で読取制御部１０６は一番上に配置された原稿のみ読み取りを実施し、Ｓ１９０で読み取った画像データのＱＲコードを解析する。Ｓ２００乃至２３０でＱＲコード認証制御部１０９は、読み取ったＱＲカバーシートＩＤに対応するアクセス権を、登録情報管理部１１０を介して検索して入手する。Ｓ２１０でＱＲコード認証制御部１０９は、入手したアクセス権とログイン中のユーザＩＤとを照合して、ログイン中のユーザに画像処理の実行権限があるか否かを確認する。アクセス権が無い場合（Ｓ２１０でＮｏ）、ＱＲコード認証制御部１０９はエラー画面を表示してＳ１４０の状態へ戻る。ログイン中のユーザに画像処理の実行権限がある場合（Ｓ２１０でＹｅｓ）、Ｓ２３０及びＳ２５０でジョブ実行処理部１０４は、２枚目以降の原稿画像データに対し、ＱＲカバーシートＩＤに対応する処理（蓄積・送信・印刷等）を実行する。Ｓ２５０においてジョブ実行処理部１０４は、登録情報１１２の「処理内容」に規定する読取条件、蓄積条件、送信条件、印刷条件に従い、図８のＳ２６０乃至Ｓ３３０のステップに沿って２枚目以降に配置された原稿の画像データに対し画像処理を行う。
【００３５】
（本実施の形態に係る画像処理装置による第３の処理例）
図９乃至１１を用いて、画像処理装置１００による第３の処理例について説明する。ここでは、画像処理装置１００が保持する登録情報１１２の内容を修正する際の実施例について説明する。
【００３６】
画像処理装置１００の起動後、ＵＩ制御部１０１は図４で示すログイン画面を表示する。そして、ＱＲカバーシートのオーナー（登録者）であるユーザＩＤ「taro123」及びパスワードを入力してログインを行うものとする。認証ができない場合、認証制御部１０２はエラー表示を行い、再度ユーザＩＤ「taro123」及びパスワードの入力を促す。ログインが正常に行われると、個人メニュー制御部１０３は図５で示す初期画面を表示する。そして、当該初期画面の「個人設定」ボタンが押下されると、ＱＲコード作成部１１１は図９で示す個人設定画面を表示し、登録情報１１２における個人情報の変更が可能となる。
【００３７】
図９で示す個人設定画面において登録情報タブが押下されると、ＱＲコード作成部１１１は、図１０で示す個人設定・登録情報画面を表示する。この画面では「登録情報」の新規登録及び変更、「アクセス権」の変更が可能である。ここで、ＱＲカバーシートに対応する「アクセス権」ボタンが押下されると、ＱＲコード作成部１１１は、図１０で示す個人設定・ＱＲカバーシートアクセス権変更画面を表示する。この画面では、各ＱＲカバーシートにおける「アクセス権」の変更が可能であり、アクセス権を変更したい「ＱＲカバーシート名」を押下することで該当するアクセス権の内容を追加及び変更することが可能である。
【００３８】
ここで、登録情報１１２にアクセス権を有さないユーザＩＤ「hanako567」をアクセス権に追加し、一度ログアウトした場合を想定する。図４で示すログイン画面より、ＱＲカバーシートのオーナーでは無いがアクセス権を追加したユーザＩＤ「hanako567」及び対応するパスワードを入力してログインをすると、図５で示す初期画面が表示される。
【００３９】
そして、第２の処理例で説明したようにＱＲカバーシートを一番上に配置して、２枚目以降に処理を行う原稿を重ねてＡＤＦにセットする。スタートキーのＬＥＤが緑になった後、スタートキーを押下すると原稿の読み取りが開始される。ＱＲコードの読み取りを実施するモードが指定されていた場合、読取制御部１０６は一番上に配置された原稿のみ読み取りを実施し、読み取った画像データのＱＲコードを解析する。
【００４０】
次に、ＱＲコード認証制御部１０９は、読み取ったＱＲカバーシートＩＤに対応するアクセス権を、登録情報管理部１１０を介して入手し、入手したアクセス権とログイン中のユーザＩＤとを照合する。そして、ユーザＩＤ「hanako567」はアクセス権に追加登録されているため、ＱＲコード認証制御部１０９はログイン中のユーザ「hanako567」に画像処理の実行権限があると判断する。すると、ジョブ実行処理部１０４は、２枚目以降に配置された原稿の画像データに対し、ＱＲカバーシートＩＤに対応する処理（蓄積・送信・印刷等）を実行する。
【００４１】
（本実施の形態に係る画像処理装置による第４の処理例）
図１２及び１３を用いて、画像処理装置１００による第４の処理例について説明する。ここでは、画像処理装置１００が保持する登録情報１１２の内容を削除する処理について説明する。
【００４２】
画像処理装置１００の起動後、ＵＩ制御部１０１は図４で示すログイン画面を表示する。そして、ユーザがユーザＩＤ及びパスワードを入力してログインを行うと、個人メニュー制御部１０３は、図５で示す初期画面を表示する。初期画面において「個人設定」ボタンが押下されると、ＱＲコード作成部１１１は図９で示す個人設定画面を表示し、当該初期画面の「個人設定」ボタンが押下されると、登録情報１１２における個人情報の変更が可能となる。そこで、登録情報タブが押下されると、ＱＲコード作成部１１１は、図１０で示す個人設定・登録情報画面を表示する。この画面では「登録情報」の新規登録及び変更、「アクセス権」の変更が可能である。
【００４３】
図１０の個人設定・登録情報画面で、ＱＲカバーシートに対応する「消去」ボタンが押下されると、ＱＲコード作成部１１１は、図１２で示す個人設定・ＱＲカバーシート消去画面を表示する。この画面では、登録情報１１２からＱＲカバーシートＩＤを消去することが可能である。個人設定・ＱＲカバーシート消去画面で、登録情報１１２から消去する「ＱＲカバーシート名」を押下すると、図１３で示す確認のポップアップが表示され、そこで「ＯＫ」ボタンを押下すると、当該「ＱＲカバーシート名」に対応するＱＲカバーシートＩＤを登録情報１１２の各レコードから消去することができる。
【００４４】
このようにすることで、ＱＲカバーシートを使用した画像処理を試みても、読み取られたＱＲカバーシートＩＤが登録情報１１２には存在しないため、ＱＲコード認証制御部１０９はアクセス権を入手できず、ＱＲカバーシートを使用した画像処理は実行できない。
【００４５】
（本実施の形態に係る画像処理装置のハードウェア構成例）
図１４を用いて、本実施の形態に係る画像処理装置のハードウェア構成の一例について説明する。図１４は、画像処理装置１００のハードウェア構成の一例を示す図である。画像処理装置１００は、ＣＰＵ（Central Processing Unit）２１０、ＲＯＭ（Read-Only Memory）２２０、ＲＡＭ（Random Access Memory）２３０、ＨＤＤ（Hard Disc Drive）２４０、表示装置２５０、スキャナ２６０、プロッタ２７０、記録媒体Ｉ／Ｆ２８０を有する。
【００４６】
ＣＰＵ２１０は、ＲＯＭ２２０に記憶されたプログラムを実行する装置で、ＲＡＭ２３０に展開（ロード）されたデータを、プログラムの命令に従って演算処理し、画像処理装置１００の全体を制御する。ＲＯＭ２２０は、ＣＰＵ２１０が実行するプログラムやデータを記憶している。ＲＡＭ２３０は、ＣＰＵ２１０でＲＯＭ２２０に記憶されたプログラムを実行する際に、実行するプログラムやデータが展開（ロード）され、演算の間、演算データを一時的に保持する。
【００４７】
ＨＤＤ２４０は、基本ソフトウェアであるＯＳ（Operating System）、本実施の形態に係るアプリケーションプログラムや機能拡張用のプラグインなどを、関連するデータとともに記憶する装置である。
【００４８】
表示装置２５０は、ハードキーによるキースイッチ、ＬＣＤ（Liquid Crystal Display）等で構成され、画像処理装置１００が有する機能をユーザが利用する際に、各種設定を行うなどのユーザインタフェースとして機能する装置である。スキャナ２６０は、原稿を読み込み、画像処理装置１００に画像データを入力する装置である。プロッタ２７０は、印刷すべき原稿に関する画像データを紙出力する装置である。記録媒体Ｉ／Ｆ（InterFace）２８０は、ＣＤ（Compact Disc）、ＤＶＤ（Digital Versatile Disc）、ＳＤメモリーカード等の記録媒体２９０に記録されたデータを読み込む際のインタフェースである。
【００４９】
画像処理装置１００の各手段は、ＣＰＵ２１０が、ＲＯＭ２２０又はＨＤＤ２４０に記憶された各手段に対応するプログラムを実行することにより実現される形態としても良いし、当該各手段に関する処理をハードウェアで実現する形態としても良い。また、記録媒体２９０に記録されたプログラムを記録媒体Ｉ／Ｆ２８０を介して読み込んで、読み込んだプログラムによって画像処理装置１００の各手段が実現される形態でも良い。
【００５０】
以上、本発明の実施の形態について詳述したが、本発明は係る特定の実施の形態に限定されるものではなく、特許請求の範囲に記載された本発明の要旨の範囲において、種々の変形・変更が可能である。
【００５１】
（総括）
開示の画像処理装置によれば、ＱＲカバーシートに挿入されたＱＲコードには、ＱＲカバーシートのＩＤしか入っていない。このＱＲカバーシートのＩＤからＱＲカバーシートのアクセス権を取得しアクセス権の確認を行う。アクセス権が無ければこのＱＲカバーシートを実行することが出来ないので、ＱＲカバーシートを無断で使用しようとしても実行することが出来ない。これによりセキュリティが確保されている。
ＱＲカバーシートの作成者は、ＱＲカバーシート作成時に作成者のユーザＩＤがアクセス権に自動的に追加されるので、アクセス権を意識すること無く使用することが出来る。
【００５２】
開示の画像処理装置によれば、ＱＲカバーシートＩＤのアクセス権に、他ユーザのアクセス権を追加することにより、このＱＲカバーシートのアクセス権を自動でチェックして、ログインしているユーザのアクセス権が確認できれば、ＱＲシートに登録されている処理を実行することが出来る。ＱＲカバーシートＩＤを公開（アクセス権を設定）することにより、セキュリティを確保しつつ他のユーザでも使用可能となる。
【００５３】
開示の画像処理装置によれば、ＱＲカバーシートのＩＤを削除することが出来るので、万が一ＱＲカバーシートを紛失したとしても、ＱＲカバーシートのＩＤを登録情報から削除してしまえば、アクセス権の追加されているユーザであってもＱＲカバーシートを使用しようとしても、ＱＲカバーシートＩＤは登録情報には無いので、アクセス権を入手できず実行することが出来ない。よって不正使用の防止が出来る。
【符号の説明】
【００５４】
１００  画像処理装置
１０１  ＵＩ制御部
１０２  認証制御部
１０３  個人メニュー制御部
１０４  ジョブ実行処理部
１０５  蓄積制御部
１０６  読取制御部
１０７  印刷制御部
１０８  送信制御部
１０９  ＱＲコード認証制御部
１１０  登録情報管理部
１１１  ＱＲコード作成部
１１２  登録情報
【先行技術文献】
【特許文献】
【００５５】
【特許文献１】特開平９−２６１３８２号公報
【特許文献２】特開２００７−２２１７４７号公報
【図１】
2011087250.tif 000003
【図２】
2011087250.tif 000004
【図３】
2011087250.tif 000005
【図４】
2011087250.tif 000006
【図５】
2011087250.tif 000007
【図６】
2011087250.tif 000008
【図７】
2011087250.tif 000009
【図８】
2011087250.tif 000010
【図９】
2011087250.tif 000011
【図１０】
2011087250.tif 000012
【図１１】
2011087250.tif 000013
【図１２】
2011087250.tif 000014
【図１３】
2011087250.tif 000015
【図１４】
2011087250.tif 000016